(57)【要約】      （修正有）【課題】土中に支柱を埋め込む埋込型や脚部を有する置き型等の、略円筒形状又は略円錐台形状の照明部を有するソーラー発電式のガーデンライトに、ホルダーを後付けすることにより、柱や塀、或いは壁面等の平面的な取付部材への設置も可能とし、その汎用性を高めると供に、配光領域を特定することもできる取付ホルダー技術の提供をする。【解決手段】既存のソーラー発電式ガーデンライトの汎用性を拡張する取付ホルダーであって、ホルダー本体２０には、照明部３０を保持する保持部と、前記照明部と支柱１３とを繋ぐジョイント部１５若しくは前記支柱を嵌め込む嵌装部４１と、前記照明部を載置するための段差部５０と、前記ソーラー発電式ガーデンライトのソーラーパネルが配置されているソーラーパネル配置部１２が取付部材と当接しないように離隔する離隔部を前記嵌装部の背面側に備えている構成。【選択図】図１
0003222566.tif 000002
【実用新案登録請求の範囲】
【請求項１】
既存のソーラー発電式ガーデンライト（１０）の汎用性を拡張する取付ホルダーであって、
ホルダー本体（２０）には、
前記既存のソーラー発電式ガーデンライト（１０）の照明部（３０）を保持する保持部（４０）と、
前記照明部（３０）と支柱（１３）とを繋ぐジョイント部（１５）若しくは前記支柱（１３）を嵌め込む嵌装部（４１）と、
前記照明部（３０）を載置するための段差部（５０）と、
前記ソーラー発電式ガーデンライト（１０）のソーラーパネル（１１）が配置されているソーラーパネル配置部（１２）が取付部材（Ｔ）と当接しないように離隔する離隔部（６０）を前記嵌装部（４０）の背面側に備えていることを特徴とするソーラーガーデンライト用取付ホルダー（１）。
【請求項２】
前記保持部（４０）に光を反射する表面処理（４２）を施したことを特徴とする請求項１に記載のソーラーガーデンライト用取付ホルダー（１）。
【請求項３】
前記ホルダー本体（２０）が、木製、樹脂製、若しくは金属製のいずれかであることを特徴とする請求項１又は請求項２に記載のソーラーガーデンライト用取付ホルダー（１）。
【請求項４】
前記離隔部（６０）に、永久磁石（６１）を備えたことを特徴とする請求項１から請求項３の何れかに記載のソーラーガーデンライト用取付ホルダー（１）。
【考案の詳細な説明】
【技術分野】
【０００１】
本考案は、ソーラーガーデンライトに用いる取付ホルダーの技術に関し、詳しくは、土中に支柱を埋め込む埋込型や脚部を有する置き型等の、略円筒形状又は略円錐台形状の照明部を有する既存のソーラー発電式ガーデンライトに後付けすることにより、壁面等への取り付けを可能にする取付ホルダーの技術に関する。
【背景技術】
【０００２】
近年では、ソーラーパネル（太陽光発電モジュール）や蓄電池の高性能化により、小型ソーラーパネルと小型蓄電池の組み合わせでも、日中の発電及び蓄電によって、夜間の照明に十分な電力を備えることができるようになり、これが安価、且つ大量に生産されるようになった。特に最近目を引くのが、支柱を土中へ埋め込むだけで設置可能な廉価版のソーラーガーデンライトが、安価にセット販売されるようになっている。係る照明部に用いられる光源には、従来の発熱球やハロゲン球に代へて、発熱損失の極めて少ないＬＥＤ（ｌｉｇｈｔ  ｅｍｉｔｔｉｎｇ  ｄｉｏｄｅ）電球が用いられ、高照度でありながら、長時間の照明を電源コードも電源供給も不要にしつつ実現している。
【０００３】
係るソーラーガーデンライトの構造は至ってシンプルで、上部にソーラーパネルを備えた照明部と、下部に土中へ埋め込むための支柱部から構成されているものが多い。従って、塀や角柱、或いは壁に設置することはできず、取り付け高さを自由にすることもできないため、用途を拡張して多様な場所に設置できるという汎用性を希望する人も少なくないと考えられるが、その要望に応えられてはいない。
また、コストを抑えるため、照明部の形状は単純な略円筒形状、又は略円錐台形状となっており、拡散配光による３６０度の照射方向となっているため、周方向へ全体的に均一な光を照射し、特定の方向のみへ配光することとはできない。そして、他方、リフレクターを用いて中心の明るさを高くしたメリハリのある狭角配光とし、樹木など特定の場所をライトアップしたいときなどの最適なスポット照明や、庭園の遊歩道などにおいて、照射範囲を前面と背面で切り分けたい場合のように、これら廉価版のソーラーガーデンライトでは対応できず、高額なものを用意しなければならない問題がある。そこで、多数個をセットで安価に入手可能な廉価版のソーラーガーデンライトの設置場所の自由度を高めるなどして、活用の途を広めたいところである。
【０００４】
上記の問題点に鑑みて、本考案者意外にも係る問題を解決しようと種々の技術提案がなされている。例えば、発明の名称を「アダプター及び照明装置」とする技術が公開され、公知技術となっている（特許文献１参照）。係る技術は「照明器具を容易に位置決めできるアダプターを提供する。」ことを課題とするもので、具体的には、「アダプターには、照明器具を取り付けることが可能であり、アダプターは、装着部と、凹部とを備え、装着部は、ポールに装着可能であり、凹部には、照明器具の一部が嵌まることが可能であり、凹部は、特定面を有し、特定面には、照明器具の一部が接触することが可能であり、特定面は、アダプターの外部に向かって湾曲している。」という構成を採用したものである。しかしながら、特許文献１に記載の発明は、取付部材がポールに対して照明器具を配置させることはできるが、本考案のように、壁や塀といった平面的なものには対応できないという問題を残しており、本考案の課題を解決するに至っていない。
【０００５】
また、特許文献２には、発明の名称を「取り外し可能に用具を対象物に取り付けるホルダー及びその方法」とする技術が開示され、公知技術となっている（特許文献２参照）。具体的には、「懐中電灯等の用具を、緊急簡易ベッド等の対象物に取外し可能に取り付けて位置合わせするホルダー及びそのための方法が開示され、ホルダーは、対象物への迅速な取付けを容易にするためのベース及び弾性保持ストラップを含む。ホルダーは、更に、用具のハンズフリーの位置合わせを任意の所望の方向において容易にするための弾性押さえ部材を含む。」というものである。しかしながら、特許文献２に記載の発明は、前記特許文献１と同様に、パイプ等の棒状部材へ懐中電灯等の用具を備えさせることはできるが、本考案のように、壁や塀といった平面的なものには対応できないという問題を残しており、本考案の課題を解決するに至っていない。
【先行技術文献】
【特許文献】
【０００６】
【特許文献１】特開２０１８−１８１７１９号公報
【特許文献２】特表２０１０−５００５１６号公報
【考案の概要】
【考案が解決しようとする課題】
【０００７】
本考案は、土中に支柱を埋め込む埋込型や脚部を有する置き型等の、略円筒形状又は略円錐台形状の照明部を有する既存のソーラー発電式ガーデンライトに、ホルダーを後付けすることにより、柱や塀、或いは壁面等の平面的な取付部材への設置を可能とし、その汎用性を高めると供に、配光領域を特定することもできる取付ホルダー技術の提供を課題とするものである。
【課題を解決するための手段】
【０００８】
本考案は、既存のソーラー発電式ガーデンライトの汎用性を拡張する取付ホルダーであって、ホルダー本体には、前記既存のソーラー発電式ガーデンライトの照明部を保持する保持部と、前記照明部と支柱とを繋ぐジョイント部又は前記支柱を嵌め込む嵌装部と、前記照明部を載置するための段差部と、前記ソーラー発電式ガーデンライトのソーラーパネルが配置されているソーラーパネル配置部が取付部材と当接しないように離隔する離隔部を前記嵌装部の背面側に備えている構成を採用した。
【０００９】
また本考案は、前記保持部に光を反射する表面処理を施す構成を採用することもできる。
【００１０】
また本考案は、前記ホルダー本体が、木製、樹脂製、若しくは金属製のいずれかである構成を採用することもできる。
【００１１】
また本考案は、前記離隔部に、永久磁石を備える構成を採用することもできる。
【考案の効果】
【００１２】
本考案に係るソーラーガーデンライト用取付ホルダーによれば、埋め込み型のソーラー発電式ガーデンライトの支柱を土中へ埋め込む方法のみならず、塀や壁といった平面的な取り付け部材にも取り付けが可能になるという優れた効果を発揮するものである。
【００１３】
また、本考案に係るソーラーガーデンライト用取付ホルダーによれば、前面には配光し、背面には配光しないことから、照明が欲しい方向のみを明るく照らすことが可能になるという優れた効果を発揮するものである。
【００１４】
また、本考案に係るソーラーガーデンライト用取付ホルダーおいて、保持部に光を反射する表面処理を施す構成を採用する場合には、凹状に湾曲した保持部がリフレクターとなって前面側へ光を集光し、より明るい配光が可能になるという優れた効果を発揮する。
【００１５】
また、本考案に係るソーラーガーデンライト用取付ホルダーおいて、離隔部に永久磁石を備えた構成を採用する場合には、金属等の磁性材料へ、磁着により取り外し自在に出来るという優れた効果を発揮する。
【図面の簡単な説明】
【００１６】
【図１】本考案に係るソーラーガーデンライト用取付ホルダーの基本構成を示す基本構成説図である。
【図２】本考案に係るソーラーガーデンライト用取付ホルダーの使用状態を示す使用状態説明斜視図である。
【図３】本考案に係るソーラーガーデンライト用取付ホルダーの構成例を示す実施例説明斜視図である。
【図４】本考案に係るソーラーガーデンライト用取付ホルダーの実施状態を示す実施状態説明図である。
【考案を実施するための形態】
【００１７】
本考案に係るソーラーガーデンライト用取付ホルダー１は、ホルダー本体２０に、照明部３０を保持する保持部４０と、照明部３０を嵌め込む嵌装部４１と、前記照明部３０を載置するための段差部５０と、ソーラーパネル配置部１２が取付部材Ｔと当接しないように離隔する離隔部６０を前記嵌装部４０の背面側に備えることを最大の特徴とするものである。以下、図面を用いて各構成について説明する。但し、図面に表した形状や寸法については特に限定されるものではなく、本考案に係る技術的思想の創作として認められる範囲において変更可能である。
【００１８】
図１は、本考案に係るソーラーガーデンライト用取付ホルダー１の基本構成を示す基本構成説明図であり、図１（ａ）は平面図、図1（ｂ）は正面図、図１（ｃ）は右側面図である。実線で示されているのが本考案に係るソーラーガーデンライト用取付ホルダー１であり、二点鎖線で示した部分は既存のソーラー発電式ガーデンライト１０である。
【００１９】
ソーラーガーデンライト用取付ホルダー１は、ホルダー本体２０に、照明部３０を保持する保持部４０と、照明部３０を嵌め込む嵌装部４１と、前記照明部３０を載置するための段差部５０と、前記ソーラー発電式ガーデンライト１０のソーラーパネル１１が配置されているソーラーパネル配置部１２が取付部材Ｔと当接しないように離隔する離隔部６０を前記嵌装部４０の背面側に備えることを基本構成とする。
【００２０】
ホルダー本体２０は、本考案に係るソーラーガーデンライト用取付ホルダー１の本体を成すもので、保持部４０と嵌装部４１と段差部５０と離隔部６０とを有している。素材には木製、樹脂製又は金属製であることが望ましく、木製であれば自然素材の味わいを創出でき、樹脂製であれば軽量且つ生産性に富み、金属であれば重厚感等を印象付けるなど、それぞれの特徴を発揮する。形状については図３（ａ）から図３（ｃ）の実施例に示すようなブロック状や、図３（ｄ）に示すようなプレート状のものでも良い。
【００２１】
保持部４０は、ホルダー本体２０に湾曲面を設けて、既存のソーラー発電式ガーデンライト１０の照明部３０を保持する部分であり、表面処理４２をする構成において、その処理の対象となる部分でもある。
【００２２】
嵌装部４１は、支柱１３若しくはジョイント部１５を挿通させる穴部、又は少なくとも半円以上の円弧を有する略穴部であり、支柱１３若しくはジョイント部１５を嵌め込んで照明部３０を嵌装させるものである。
【００２３】
表面処理４２は、保持部４０に光を反射させるために施す処理のことであり、簡易的なものとしては、白色や金属色の塗装を施したり、或いはメッキするなどして投光された光を反射して特定の方向へ光を集光し明るく照らすことを可能とするものである。
【００２４】
段差部５０は、照明部３０を載置し、所定位置で支柱１３又はジョイント部１５を保持するための嵌装部４１が設けられる。なお、係る段差部５０は図３（ａ）に示すように前方に突き出ない構成や、図３（ｂ）及び図３（ｄ）に示すように前方に一部が突き出る構成、あるいは、図３（ｃ）に示すように、前方に全体的に突き出る構成等が考え得る。係る構成の違いは、特に下方への照明を規制することになる。
【００２５】
離隔部６０は、ホルダー本体２０の背面側において、ソーラーパネル配置部１２が照明部３０よりも周方向の外側に向かって大きく張り出すものが多いため、係るソーラーパネル配置部１２が取付部材Ｔと当接するのを回避するため、図２及び図３においてクロスハッチングで示した部分のように、ホルダー本体２０背面側の奥行き方向に厚みを持たせるか、図３（ｄ）の実施例のように、ホルダー本体２０背面側にスペーサーとしての離隔部６０を設ける。
【００２６】
図２は、本考案に係るソーラーガーデンライト用取付ホルダー１の使用状態を示す使用状態説明斜視図であり、図２（ａ）は、支柱１３が長尺であって、これを照明部３０から取り外して装着する例を示し、図２（ｂ）は、支柱１３が短く、又はこれを取り外せないなどの理由から、そのままの状態で装着する例を示している。
【００２７】
既存のソーラー発電式ガーデンライト１０は、本考案で利用するソーラー発電式の照明であって、上面のソーラーパネル１１と内部に蓄電池が配置されたソーラーパネル配置部１２を備えた略円筒状の照明部３０を有するものであればよく、低価格でセット販売されるような所謂廉価版のソーラーガーデンライトであってもよい。
【００２８】
ソーラーパネル１１は、太陽電池パネル、太陽電池板、或いは太陽電池モジュール等とも呼ばれ、ソーラーパネル１１は太陽からの光エネルギー（光子）を使い、光起電力効果を応用して電気を発生させるパネルのことであり、太陽光発電システムに用いられるソーラーパネル１１は、ひとつひとつは小さな太陽電池を複数集めて、何らかの枠や構造体に入れてパネル状にして利用するものが一般的であるが、本考案のように、小さなガーデンライトの上面という限られた領域内に納めなければならない既存のソーラー発電式ガーデンライト１０では、1枚のみの単体で直接照明部のケース等に貼り付けられるという構成でもよい。廉価版となれば尚更その様な構成のものも多いが、他方、複数枚のソーラーパネル１１で構成し、電流量を増やすために、直列のユニットを並列に組んだものであれば好適である。１枚のソーラーパネル１１の起電力は数ワット程度と小さいが、並列させて蓄電池と接続して使用することや、光源に電力消費の少ないＬＥＤを用いることで、長時間の照明が可能となる。
【００２９】
ソーラーパネル配置部１２は、照明部３０の上部に設けられ、外側上面にソーラーパネル１１を配置し、内部には蓄電池を備える。通常、既存のソーラー発電式ガーデンライト１０では、ソーラーパネル１１の配置領域を広くするため、ソーラーパネル配置部１２が照明部３０よりも周方向に張り出すものがほとんどであり、係る突き出しによる段差部を利用して、湾曲した保持部４０の上縁部に引っ掛けて照明部３０を保持することも可能となる。
【００３０】
照明部３０は、光源１４の発光により辺りを照らして明るくする部分であり、その光源１４には発熱損失や消費電力の低いＬＥＤ電球を用いる。形状は略円筒形若しくは略円錐台形を成し、保持部４０で保持可能な形状と大きさであることが必要である。
【００３１】
支柱１３は、既存のソーラー発電式ガーデンライト１０の多くが採用している埋め込み型の取付手段において、土中へ埋め込んで支持するための支柱である。一般的な支柱１３の形状は、図２に示すように、土中へ突き刺しできるように先端が細く窄められ、長さについては、照明部３０が膝丈程度に配置されるような長尺なものや、歩道を案内するように地面に近い高さとなるように短いものがある。通常、係る支柱１３は、ジョイント部１５を介して照明部３０に接続され、長いものは取り外し、短ければそのまま接続されたままでもよい。
【００３２】
光源１４は、照明部３０内で発光する源であり、本考案で利用するソーラー発電式ガーデンライトでは発熱損失や電力消費の低いＬＥＤ電球を光源１４に利用する。灯り本来の役割である演色性はもちろん、防虫・防水効果や屋内外を問わず視認性がよいことから、ガーデンライトの光源として好適である。
【００３３】
ジョイント部１５は、照明部３０と支柱１３とを繋ぐ繋ぎ部であり、嵌入式や螺設式であるのが一般的である。仮に、接着されて一体的に構成されたものや、一体的に射出成形されたものであっても、その様な場合は、支柱１３をそのままジョイント部１５として利用すればよい。
【００３４】
永久磁石６１は、取付部材Ｔが磁石につく強磁性体である場合に、磁力によって取付状態を維持するものである。永久磁石の種類は特に限定されるものではないが、ＬＥＤ光源を用いることにより、キュリー点が低く熱減磁の大きなネオジム磁石等でも、大きな磁着力を発揮でき利用可能である。
【００３５】
取付部材Ｔは、本考案に係るソーラーガーデンライト用取付ホルダー１によって、既存のソーラー発電式ガーデンライト１０を取り付ける部材であり、柱や壁、或いは塀といった平面的なものでも対象となる。なお、図面には示していないが、取付部材Ｔが円筒状であっても、係る円筒と内接する凹部を離隔部６０に設ければ、取り付けが可能となり、より利用範囲が拡張できる。
【００３６】
図３は、本考案に係るソーラーガーデンライト用取付ホルダー１の構成例を示す実施例説明斜視図である。図３（ａ）は、ホルダー本体２０がブロック状であって、凹状に湾曲した保持部４０の下側に段差部５０を有し、該段差部５０が正面側に突き出ずに嵌装部４１が半円以上の円弧を有する略穴部が設けられている実施例を示し、図３（ｂ）は、ホルダー本体２０がブロック状であって、凹状に湾曲した保持部４０の下側に段差部５０を有し、該段差部５０が正面側に一部突き出し、該段差部５０に嵌装部４１が円状の穴として設けられている実施例を示し、図３（ｃ）は、ホルダー本体２０がブロック状であって、凹状に湾曲した保持部４０の下側に段差部５０を有し、該段差部５０が正面側に全体的に突き出し、該段差部５０に嵌装部４１が円状の穴として設けられている実施例を示し、図３（ｄ）は、ホルダー本体２０がパネル状であって、凹状に湾曲した保持部４０の下側に段差部５０を有し、該段差部５０が正面側に一部的に突き出し、該段差部５０に嵌装部４１が円状の穴として設けられている実施例を示している。
【００３７】
図３（ａ）の実施例は、最もシンプルな構成であり、ホルダー本体２０には突き出し部を有さず、加工が容易な例である。なお、図３（ａ）には、嵌装部４１が半円以上の円弧を有する略穴部が設けられている状態を示しているが、係る形状の嵌装部４１に限定されるものではなく、円状の穴として設けられているものでもよい。
【００３８】
図３（ｂ）の実施例は、段差部５０がホルダー本体２０に対して正面側へその一部が突き出し、該段差部５０に嵌装部４１が円状の穴として設けられており、係る構成を採用することによって、前面側への広角配光とすることができる。
【００３９】
図３（ｃ）の実施例は、段差部５０がホルダー本体２０に対して正面側へ全体的に突き出し、該段差部５０に嵌装部４１が円状の穴として設けられており、係る構成を採用することによって、前面側への広角配光としつつ、下方への照明は規制することができる。
【００４０】
図３（ｄ）の実施例は、平板な材料から構成できる例であって、軽量なものにすることが可能である。ホルダー本体２０の奥行き方向に厚みがないため、スペーサーとしての離隔部６０を設けることとなる。
【００４１】
図４は、本考案に係るソーラーガーデンライト用取付ホルダー１の実施状態を示す実施状態説明図である。図４（ａ）は、ウッドデッキのフェンス支柱に本考案に係るソーラーガーデンライト用取付ホルダー１を取り付けた実施状態を示し、図４（ｂ）は、既存のソーラー発電式ガーデンライト１０を本考案に係るソーラーガーデンライト用取付ホルダー１を介してウッドデッキを照らしている状態を示している。
【００４２】
図４（ａ）に示す通り、本考案に係るソーラーガーデンライト用取付ホルダー１は、取付部材Tが、角材等の支柱であっても、その平面部に装着可能である。また、係る例では取付部材T及びホルダー本体２０が何れも木製であることから自然な風合いが生まれており、違和感や後付感を抱かせない。
【００４３】
図４（ｂ）に示す通り、既存のソーラー発電式ガーデンライト１０では全周方向を照らすが、本考案に係るソーラーガーデンライト用取付ホルダー１を利用すれば、前面側のみの配光が可能となる。したがって、図４（ｂ）の例のように、背面側には照らす必要がない場合や、土地の隣地境界付近等の設置においても、他人の所有地内を勝手に照らすことはない。
【産業上の利用可能性】
【００４４】
本考案は、略筒状の照明部を、壁や塀、或いは柱といった平坦面にも取り付けることが可能となるものであり、低価格で提供されるソーラーガーデンライトの用途を拡張でき、照明のみならず、防犯や庭園デザインの考案などにも資するものであることから、産業上の利用可能性は極めて高いものである。
【符号の説明】
【００４５】
１    ソーラーガーデンライト用取付ホルダー
１０  既存のソーラー発電式ガーデンライト
１１  ソーラーパネル
１２  ソーラーパネル配置部
１３  支柱
１４  光源
１５  ジョイント部
２０  ホルダー本体、
３０  照明部
４０  保持部
４１  嵌装部
４２  表面処理
５０  段差部
６０  離隔部
６１  永久磁石
Ｔ  取付部材
【図１】
0003222566.tif 000003
【図２】
0003222566.tif 000004
【図３】
0003222566.tif 000005
【図４】
0003222566.tif 000006